(57)【要約】【課題】  本発明は水道栓の蛇口部に節水こまを装着して流量を調整するに当たり、蛇口から排出する節水流を攪拌状態となし、かつ節水こまの中心を水道栓の開口中心線に一致させることができ、締付け弛みによる節水こまの振動がないようにすることを目的とする。【解決手段】  両端を開口２，３した短筒１の一端側外周に外筒５の嵌着用拡径部４を形成し、該拡径部４の端部にフランジ６を設け、外筒５の一端部内周を上記拡径部４外周に嵌着してなる蛇口流量調整装置において、上記短筒１の他端から上記外筒５を延長し、該延長端５’に水流案内板７を設け、該案内板７の中央部７’を上記短筒１の他端開口部３に間隙ｔを介して対向させ、外周部を上記延長端５’に一体に接続し、上記外周部に複数の通水透孔８を対称位置に穿設したこと特徴とする蛇口流量調整装置における節水こま。【選択図】  図１
2006037672.tif 000002
【特許請求の範囲】
【請求項１】
両端を開口した短筒の一端側外周に外筒の嵌着用拡径部を形成し、該拡径部の端部にフランジを設け、外筒の一端部内周を上記拡径部外周に嵌着してなる蛇口流量調整装置において、
上記短筒の他端から上記外筒を延長し、該延長端に水流案内板を設け、
該案内板の中央部を上記短筒の他端開口部に間隙を介して対向させ、外周部を上記延長端に一体に接続し、
上記外周部に複数の通水透孔を対称位置に穿設したこと特徴とする蛇口流量調整装置における節水こま。
【請求項２】
上記案内板の３方に円弧形縁を有する通水透孔を穿設した請求項１記載の蛇口流量調整装置における節水こま。
【請求項３】
上記外筒の外周にゴム等の可撓弾性パッキングを嵌装し、該パッキングの外周を蛇口管の内周に密着させる請求項１又は２記載の蛇口流量調整装置における節水こま。
【発明の詳細な説明】
【技術分野】
【０００１】
本発明は水道栓の蛇口内に着脱自在に設ける流量調整用節水こまに関するものである。
【背景技術】
【０００２】
従来、蛇口内に装着する流量調整用節水こまでは、内筒の側壁に通水孔を穿設し、該通水孔の上縁以下の内筒外周と外筒内周との間に、流水量を調整するために細隙を設け、該細隙から水を流下させることにより、流速が早くなり相当多量の水量が放出されているようにし、かつ内筒の一端にフランジを設け、これを水道栓の開口部に当接し、さらに蛇口の基端を該フランジに当接し、袋ナットで締付けて蛇口及び上記内筒を水道栓に着脱自在に装着した（例えば特許文献１，２）
ところで水道栓の開口部外径に対し、上記フランジの外径が小であると、水道栓と上記内筒との中心が偏位し、締付け弛み時に該内筒に振動を生じるおそれがあった（特許文献１，２）。
【０００３】
【特許文献１】新案登録第３０１２３９２号
【特許文献２】特許第３１８９１４４号
【発明の開示】
【発明が解決しようとする課題】
【０００４】
本発明は水道栓の蛇口部に節水こまを装着して流量を調整するに当たり、水道栓から排出する節水流を攪拌状態となし、かつ節水こまの中心を水道栓の開口中心線に一致させることができ、締付け弛みによる節水こまの振動がないようにすることを目的とする。
【課題を解決するための手段】
【０００５】
上記目的を達成するため本発明は
第１に両端を開口した短筒の一端側外周に外筒の嵌着用拡径部を形成し、該拡径部の端部にフランジを設け、外筒の一端部内周を上記拡径部外周に嵌着してなる蛇口流量調整装置において、上記短筒の他端から上記外筒を延長し、該延長端に水流案内板を設け、
該案内板の中央部を上記短筒の他端開口部に間隙を介して対向させ、外周部を上記延長端に一体に接続し、上記外周部に複数の通水透孔を対称に位置して穿設したこと特徴とする蛇口流量調整装置における節水こま、
第２に上記案内板の３方に円弧形縁を有する通水透孔を穿設した上記第１発明記載の蛇口流量調整装置における節水こま、
第３に上記外筒の外周にゴム等の可撓弾性パッキングを嵌袋し、該パッキングの外周を蛇口管の内周に密着させる上記第１又は第２発明記載の蛇口流量調整装置における節水こま、
によって構成される。
【０００６】
従って上記フランジを水道栓の開口端面に当接し、蛇口管を外筒又は上記パッキングの外周に沿って中心線の方向に嵌合し、
袋ナットで上記フランジ及び蛇口管の基端フランジを締付けて該袋ナットを水道栓の外周雄ネジに螺合させる。
【０００７】
その状態において水道栓を開いて水道水を開口部から流出させると、水は短筒内に流入し、他端から排出される。
【０００８】
排出水は上記間隙から水流案内板の中央部に当たり、横向放射状に方向を変更して対称位置にある複数（３個）の通水透孔から直ちに下向に分流し、及び直ちに分流することなく該透孔間の複数（３個）のスポークの上面を横向に流動した後、外筒延長端部内面から、その両側の上記透孔内に遅れて分流し、蛇口管の内面に沿って蛇口端から大気に排出又は吐出される。
【０００９】
上記外筒は外周の可撓弾性パッキングによって蛇口の内周にがたなく保持され、水道栓の上記開口部と中心線を共有することができる。
【発明の効果】
【００１０】
本発明は上述のように構成したので、
水道栓の開口部から排出される水は中心線に沿って短筒内を流下し、間隙内を上記案内板の中央部から放射状に横向に流動し、上記外筒の延長部内面から直ちに下向きに分流するものと、遅れて下向に分流するものと時差合流し、流線が乱れ、又水道栓内の水圧が上昇すると流速が速くなり、上記案内板附近の流水は乱流となるが、
上記内外筒の振動はなく静粛に蛇口から排出され得る。
【発明を実施するための最良の形態】
【００１１】
両端を開口２，３した短筒１の一端側外周に外筒を嵌着するための拡径部４を形成し、該拡径部４の端部にフランジ６を設ける。
【００１２】
加熱した上記外筒５内に上記短筒１及び上記拡径部４を上記フランジ６の下面まで挿入し、その状態で外筒５を冷却収縮させることによって拡径部４の外周面に外筒５の内周面を一体に嵌着する。
【００１３】
この状態で上記フランジ６は外筒５の一端外周から外側に突出し、かつ該フランジ６を水道栓１１の開口端周面１１’に接した状態において、短筒１の内径ｗが水道栓１１の開口部内径Ｗより小であるため蛇口流量調整装置が形成される。
【００１４】
上記外筒５は上記短筒１の他端から中心線ｃの方向に延長し、延長端５’に水流案内板７を中心線ｃと直角方向に一体に設ける。
【００１５】
上記案内板７は中央部７’を上記短筒１の他端開口部３に間隙ｔを介して対向させ、中央部７’に点対称位置に複数（３個）のスポーク７”，７”，７”を設け、該スポーク７”，７”，７”の外端を上記延長端５’に一体に溶着し、該スポーク７”，７”，７”のそれぞれ両側円弧形縁８’，８’に沿って点対称形の円弧形通水透孔８，８，８が穿設される。スポーク７”及び透孔８は２〜６個等の複数であれば足りる。
【００１６】
上記フランジ６の外周径は一般に水道栓１１の開口端周面１１’の外周径より小であり径差があるため、フランジ６を開口端周面１１’に図１に示すように接する際、開口部の中心線とフランジ６又は短筒１の中心線ｃとは必ずしも一致しない。
【００１７】
そこで蛇口管１０の基端部の内周を外筒５の外周に沿って図１に示すように挿入し、基端フランジ１０’を上記フランジ６に接し、基端フランジ１０’を袋ナット１２で上記開口部の外周螺旋１１”に螺合させて上記両フランジ６，１０’を上記開口端周面１１’に着脱自在に支持する。
【００１８】
袋ナット１２による上記締付けによって開口端周面１１’と短筒１との中心線ｃが若干偏位しても短筒１が流勢により振動するおそれはない。
【００１９】
上記締付けが弛み勝手の状態では上記中心線ｃの若干の偏位が流勢による短筒1の振動の原因になるが、
上記外筒５の外周にゴム等の可撓弾性パッキング９を嵌装することにより、該パッキング９の外周を蛇口管１０の基端部の内周に密着させて水道栓１１の開口端周面１１’と上記短筒１との中心線を共通中心線ｃとすることができ、上記開口部径Ｗと短筒１の内周径ｗが異なっても短筒１に水勢による振動を生ずるおそれはなくなる。
【実施例１】
【００２０】
発明を実施するための上記状態において上記フランジ６の外径１５ｍｍ、短筒１の高さ１０ｍｍ、外径８ｍｍ、内径ｗ３ｍｍ、外筒５の高さ１２ｍｍ、間隙ｔ２ｍｍでステンレス鋼によって形成され、上記パッキング９の高さは短筒１の高さに一致させ又は短筒の高さよりも短く形成することができる。
【産業上の利用可能性】
【００２１】
本発明では水道栓の開口部に袋ナットで着脱自在に接続する蛇口管の基端内部に短筒及びその外筒よりなる蛇口流量調整装置を装着し、それに上記節水こまを静然と配設し得るばかりでなく該節水こま内において水流及び水圧の乱れを発生し、節水流を活性化することができる。
【図面の簡単な説明】
【００２２】
【図１】本発明の蛇口流量調整装置における節水こまの一部縦断正面図である。
【図２】図１の底面図である。
【符号の説明】
【００２３】
１        短筒
２，３    両端開口部
４        嵌着用拡径部
５        外筒
５’      延長部
６        フランジ
７        水流案内板
７’      中央部
８’      円弧形縁
ｔ        間隙
８        通水透孔
９        可撓弾性パッキング
１０      蛇口管
【図１】
2006037672.tif 000003
【図２】
2006037672.tif 000004